(57)【要約】【課題】  十字状の４方向への操作に係る表示が、より見やすい形で可能とされた表示装置と、その表示装置を用いて構成される操作入力システムとを提供する。【解決手段】    表示装置１０は、長方形状の画面３０上に画面重心位置３０Ａを中心とした十字方向に主領域を定め、それら４つの主領域３１上に長方形状の操作画像３００を配置した操作画面を表示するものであり、それら４つの操作画像３００のうち少なくとも１以上の操作画像３００が、対応する主領域３１上と、該主領域３１から続く形で画面重心位置３０Ａに対する周方向に隣接する隣接領域３２上とにまたがる拡大操作画像をなすとともに、当該操作画面において、画面全面が、当該拡大操作画像を含むそれら操作画像３００により敷き詰められている。【選択図】図２
2011070399.tif 000002
【特許請求の範囲】
【請求項１】
長方形状の画面上に選択的に操作入力可能となる複数の操作画像が表示される表示装置において、
前記画面上に、予め定められた画面基準位置を中心とする十字方向に主領域を定め、それら４つの主領域上にそれぞれ操作画像が配置される一方、それら４つの操作画像のうち少なくとも１以上の操作画像が、対応する前記主領域上と、該主領域から続く形で前記画面基準位置を中心とする周方向に隣接する隣接領域上とにまたがって配置される拡大操作画像をなすとともに、
前記画面上において、少なくとも前記画面基準位置を含む画面中心領域の外周に位置する画面外周領域には、画面最外周領域として定められた余白領域及び互いに隣接する前記操作画像間に定められた境界領域を除く残余の領域に、前記４つの操作画像が敷き詰められた形で配置され、
さらに、それら４つの操作画像において、各操作画像の画像領域内に包含され、かつ前記画面の各辺に平行をなす辺により取り囲まれる長方形領域のうち、面積が最大となるものを最大長方形領域とした場合に、当該最大長方形領域の面積が、前記操作画像の画像領域の全面積の少なくとも５０%より大となることを特徴とする表示装置。
【請求項２】
前記最大長方形領域が前記操作画像に係る表示をする表記領域とされ、当該表記領域をなす長方形領域のいずれかの対向辺に対し平行な方向に、前記操作画像に係る文字列が並ぶ形で表示されている請求項１記載の表示装置。
【請求項３】
前記画面基準位置は、前記画面の重心位置である請求項１又は請求項２に記載の表示装置。
【請求項４】
前記画面中心領域には、前記４つの操作画像とは別の前記操作画像が配置されており、前記画面の全領域において前記余白領域及び前記境界領域を除く残余の領域に、それら５つの操作画像が敷き詰められた形で配置されている請求項１ないし請求項３のいずれか１項に記載の表示装置。
【請求項５】
前記画面中心領域に配置される操作画像は、正方形状をなす請求項４記載の表示装置。
【請求項６】
前記操作画像は、前記画面の各辺に平行をなす辺により取り囲まれる長方形状をなす請求項１ないし請求項５のいずれか１項に記載の表示装置。
【請求項７】
前記４つの操作画像の全てが前記拡大操作画像とされ、各々の前記隣接領域は、各々の前記主領域から前記画面基準位置周りの周方向第一側に続く形で設けられている請求項１ないし請求項６のいずれか１項に記載の表示装置。
【請求項８】
前記４つの操作画像のうち少なくとも１の操作画像が、自身の主領域から前記画面基準位置周りの周方向第一側及び第二側の双方に続く前記隣接領域を有し、それら両隣接領域と自身の主領域とにまたがって配置された前記拡大操作画像とされている請求項１ないし請求項６のいずれか１項に記載の表示装置。
【請求項９】
前記４つの操作画像のうち前記画面基準位置を挟んで主領域が対向する２つの操作画像が、自身の主領域から前記画面基準位置周りの周方向第一側及び第二側の双方に続く前記隣接領域を有し、それら両隣接領域と自身の主領域とにまたがって配置された前記拡大操作画像とされている請求項８記載の表示装置。
【請求項１０】
前記４つの操作画像のうち１つの操作画像が、自身の主領域から前記画面基準位置周りの周方向第一側及び第二側の双方に前記隣接領域を有し、それら両隣接領域と主領域にまたがって配置された第一の拡大操作画像とされるとともに、残余の操作画像のうち前記第一の拡大操作画像に隣接する２つの操作画像が、自身の主領域から前記第一の拡大操作画像とは逆側に続く前記隣接領域を有し、該隣接領域と自身の主領域とにまたがって配置された第二の拡大操作画像とされている請求項８記載の表示装置。
【請求項１１】
前記画面上に配置された前記操作画像は、該画面の重心位置を対称点とした点対称性を有する、あるいは該画面における２つの対向辺のいずれかに平行で、かつ前記重心位置を通過する直線を対称軸とする線対称性を有した形で、形状・配置が定められている請求項１ないし請求項１０のいずれか１項に記載の表示装置。
【請求項１２】
請求項１ないし請求項１１のいずれか１項に記載の表示装置と、前記画面上に配置された前記操作画像に対し選択的に操作入力可能とする操作装置と、を備えることを特徴とする操作入力システム。
【請求項１３】
前記操作装置は、予め定められた中立位置から、前記画面上における前記十字方向の各方向に対応する十字状の４方向へと操作可能に構成される請求項１２記載の操作入力システム。
【請求項１４】
前記操作装置は、前記画面上に表示される各操作画像に対し形状並びに配置位置が対応するように設けられたプッシュ操作部を有して構成される請求項１２記載の操作入力システム。
【発明の詳細な説明】
【技術分野】
【０００１】
本発明は、画面上に選択的に操作入力可能となる複数の操作画像を表示する表示装置、及びその表示装置を用いた操作入力システムに関する。
【背景技術】
【０００２】
近年、自動車等の車両においては、オーディオ装置、エアコン装置、ナビゲーション装置等、様々な車載情報機器が搭載されており、それら各機器が備える機能は複雑多様化している。このように複雑多様化した車載機器に対応するために、特許文献１には、使用する機器を選択するための選択切替スイッチ群と、各機器間で共用可能となるように、機器選択スイッチ群により選択された機器に応じて制御内容が割り当てられるファンクションスイッチ群とを操作パネル上に配置した操作入力システムについて開示されている。
【０００３】
【特許文献１】特開２００１−２９４１０１号公報
【特許文献２】特開２００２−２８７９５０号公報
【発明の概要】
【発明が解決しようとする課題】
【０００４】
ところが、上記のような操作入力システムでは、確かに、多数の機器機能を使いこなすことができる構成であり、機器機能の複雑多様化に対応することができるものの、実際にこれを使用するに際しては、操作したいスイッチを操作パネル上の多数のスイッチの中から探し当てる必要があり、操作性において劣る。特に、車両において運転者がブラインド操作を行う場合には、操作が非常に困難となる。
【０００５】
これに対し特許文献２には、ユーザーの操作を十字方向に限定し、十字状をなす４方向のいずれかへの操作を受け付ける操作装置によって、使用する機能を選択させるとともに、表示装置において、十字状の４方向に対応する制御内容を表示した操作入力システムについて開示がある。十字方向への操作を意識して、各制御内容の表示領域も画面上で十字状に配置されているため、十字状のどの方向にどの制御内容が対応しているかが分かり易い。ところが、それら各表示領域は、十字状に配置されることによって個々の面積が小さくなっている。このため、各表示領域に表示される表示内容自体を小さくせざるを得ず、表示内容が見え難いという問題が生じる。
【０００６】
本発明の課題は、十字状の４方向への操作に係る表示が、より見やすい形で可能とされた表示装置と、その表示装置を用いて構成される操作入力システムとを提供することにある。
【課題を解決するための手段および発明の効果】
【０００７】
上記課題を解決するために、本発明の表示装置は、長方形状の画面上に選択的に操作入力可能となる複数の操作画像が表示される表示装置であって、
画面上に、予め定められた画面基準位置を中心とする十字方向に主領域を定め、それら４つの主領域上にそれぞれ操作画像が配置される一方、それら４つの操作画像のうち少なくとも１以上の操作画像が、対応する主領域上と、該主領域から続く形で画面基準位置を中心とする周方向に隣接する隣接領域上とにまたがって配置される拡大操作画像をなすとともに、
画面上において、少なくとも画面基準位置を含む画面中心領域の外周に位置する画面外周領域には、画面最外周領域として定められた余白領域及び互いに隣接する操作画像間に定められた境界領域を除く残余の領域に、４つの操作画像が敷き詰められた形で配置され、
さらに、それら４つの操作画像において、各操作画像の画像領域内に包含され、かつ画面の各辺に平行をなす辺により取り囲まれる長方形領域のうち、面積が最大となるものを最大長方形領域とした場合に、当該最大長方形領域の面積が、操作画像の画像領域の全面積の少なくとも５０%よりも大となることを特徴とする。
【０００８】
従来、画面中の選択画像を略十字状に配し、上下左右の十字方向操作により選択入力する技術があるが、このような十字表示では、画面４隅に表示に使用されない無駄な空白部分が生じる。また、十字に配された操作画像は、中央領域の上下左右という限られた領域にしか配置されないため、操作画像上の表示領域が小さくなり、表示される文字や図画が少なくなる、あるいは小さくなるという問題があった。ところが、上記本発明によると、画面基準位置を取り囲むように、４つの操作画像が画面全体に余すことなく配置されるため、操作画像が広く見やすくなる。一方で、これら４つの操作画像は、画面基準位置を中心とした十字状に位置する主領域上に少なくとも一部が配置されており、十字状の配置を容易に視認させることができるから、配置に対応する操作方向を容易に推測させることができ、操作性を損ねることもない。また、本発明においては、十字状に配置される操作画像の面積を単に拡大するのではなく、その中の表示領域として利用できる操作画像内の長方形領域が拡大されるように、操作画像が拡大されるから、これまでよりも操作画像内の表示が見易くなる。
【０００９】
本発明においては、最大長方形領域が操作画像に係る表示をする表記領域とされ、当該表記領域をなす長方形領域のいずれかの対向辺に対し平行な方向に、操作画像に係る文字列が並ぶ形で表示がなされるものとできる。画面縦長方向又は横長方向に表記がつづられるのが一般的であるから、操作画像内においてそれらの方向に延びる長方形状の表示領域をできる限り広く取ることで、表示内容を増したり、大きく表示したりすることができる。
【００１０】
本発明における画面基準位置は、画面の重心位置とすることができる。これにより、画面内にバランスよく操作画像を配置することができ、デザイン性を損ねることがなくなる。
【００１１】
本発明における画面中心領域には、十字状に配置される４つの操作画像とは別の操作画像を配置することができる。この場合、画面の全領域において余白領域及び境界領域を除く残余の領域に、それら５つの操作画像が敷き詰められた形で配置することができ、画面の無駄をなくす形で十字配置される操作画像を拡大することができる。このとき、画面中心領域に配置される操作画像を正方形状とすることで、十字配置される４つの操作画像の中心であることが意識されやすくなり、十字状の配置が視認されやすくなる。
【００１２】
本発明における操作画像は、画面の各辺に平行をなす辺により取り囲まれた長方形状とすることができる。操作画像を長方形状とすることで、長方形状の画面内に無駄なく操作画像を配置しやすくなる。
【００１３】
本発明においては、十字状に配置される４つの操作画像の全てが拡大操作画像とされ、各々の隣接領域は、各々の主領域から画面基準位置周りの周方向第一側に続く形で設けることができる。この場合、画面上に配置された操作画像が周方向第一側への回転をイメージさせることができるから、従来にない斬新なデザイン性を得られる。
【００１４】
また、十字状に配置される４つの操作画像のうち少なくとも１つの操作画像は、自身の主領域から画面基準位置周りの周方向第一側及び第二側の双方に続く隣接領域を有し、それら両隣接領域と自身の主領域とにまたがって配置された拡大操作画像とすることができる。この場合、拡大操作画像がより大きくなるので、当該拡大操作画像内の表示内容を増したり、大きく表示したりすることができる。
【００１５】
また、十字状に配置される４つの操作画像のうち画面基準位置を挟んで主領域が対向する２つの操作画像は、自身の主領域から画面基準位置周りの周方向第一側及び第二側の双方に続く隣接領域を有し、それら両隣接領域と自身の主領域とにまたがって配置された拡大操作画像とすることができる。この場合、より大きい面積を有する拡大操作画像を２つ得られるので、それら双方の拡大操作画像内において、表示内容を増したり、大きく表示したりすることができる。
【００１６】
また、十字状に配置される４つの操作画像のうち１つの操作画像は、自身の主領域から画面基準位置周りの周方向第一側及び第二側の双方に隣接領域を有し、それら両隣接領域と主領域にまたがって配置された第一の拡大操作画像とすることができ、さらに、残余の操作画像のうち第一の拡大操作画像に隣接する２つの操作画像は、自身の主領域から第一の拡大操作画像とは逆側に続く隣接領域を有し、該隣接領域と自身の主領域とにまたがって配置された第二の拡大操作画像とすることができる。これにより、十字状に配置される４つの操作画像のそれぞれが様々な大きさの操作画像となるので、表示内容に応じて割り当てられる操作画像を選択できる。
【００１７】
また、画面上に配置された操作画像は、該画面の重心位置を対称点とした点対称性を有する、あるいは該画面における２つの対向辺のいずれかに平行で、かつ重心位置を通過する直線を対称軸とする線対称性を有した形で、形状・配置を定めることができる。これにより、操作画像が対象性を持って配置されることにより、デザイン性を損ねることがない。
【００１８】
本発明の操作入力システムは、上記の表示装置と、その画面上に配置された操作画像に対し選択的に操作入力可能とする操作装置と、を備えて構成できる。上記効果を有した表示装置が用いられることで、操作の方も容易となる。つまり、上記表示装置においては、表示内容が見やすい操作画像が表示される一方で、十字方向への認識性も従来の十字表示と同様に有しているので、目的の方向に容易に操作することができる。
【００１９】
また、上記操作装置は、予め定められた中立位置から、画面上における十字方向の各方向に対応する十字状の４方向へと操作可能に構成とすることができる。この場合、中立位置から十字状の４方向に向けた操作のみが許容されるよう操作が規制されるようにすることで、意図しない方向への誤操作を減じることができる。また、中立位置が画面基準位置に対応していることで、画面に対応する操作をイメージしやすい。
【００２０】
一方で、上記操作装置は、画面上に表示される各操作画像に対し形状並びに配置位置が対応するように設けられたプッシュ操作部を有して構成されてもよい。これまでに見ない斬新なデザイン性を備えた操作装置とすることができる。
【図面の簡単な説明】
【００２１】
【図１】本発明の一実施形態である操作入力システムの構成を示すブロック図。
【図２】図１に示す表示器に画面表示される操作画面の第一例。
【図３】図１に示す表示器に画面表示される操作画面の第二例。
【図４】図１に示す表示器に画面表示される操作画面の第三例。
【図５】図１に示す表示器に画面表示される操作画面の第四例。
【図６】図１に示す表示器に画面表示される操作画面の第五例。
【図７】図１に示す表示器に画面表示される操作画面の第六例。
【図８】図１に示す表示器に画面表示される操作画面の第七例。
【図９】図１に示す表示器に画面表示される操作画面の第八例。
【図１０】図１に示す表示器に画面表示される操作画面の第九例。
【図１１】本発明の操作入力システムが搭載された車両の場合の車室内内観図。
【図１２】本発明の操作入力システムに適用可能な操作装置の第一例を簡略的に示す図。
【図１３】本発明の操作入力システムに適用可能な操作装置の第二例を簡略的に示す図。
【発明を実施するための形態】
【００２２】
以下、本発明の操作装置の一実施形態を、図面を参照して説明する。
【００２３】
図１は、本発明の一実施形態である操作入力システムの装置の構成を簡略的に示すブロック図である。図１において、本発明の操作入力システム１は、制御部２に対し表示器３と操作装置４と各種情報機器５とが接続されて構成されており、本発明の表示装置１０は、制御部２とこれに接続する表示器３とを有して構成される。なお、ここでの操作入力システムの装置１は、自動車等の車両に搭載される車両用操作入力システムであって、情報機器５として、通信装置５１、テレビ５２、オーディオ装置５３、ナビゲーション装置５４といった周知の電装機器を備える。制御部２は、操作装置４の操作に応じてそれら情報機器４を制御するとともに、表示器３の表示制御も実施する。ここでの表示器３は、長方形状の画面を有しており、テレビやナビゲーション装置のディスプレイとして共用される一方、制御部２からの信号に応じて各種情報機器５の操作画面を表示することができる。
【００２４】
操作画面には、図２に示すように、選択的に操作入力可能となる複数の操作画像（操作ボタン）３００が表示される。操作装置４は、ポインティングデバイスとして構成されており、画面上に表示された操作画像３００を指示することができる。操作画像３００のいずれかへの指示状態で決定入力操作をすることにより、指示中の操作画像に対応する制御内容を実行するべく、制御部２が、対応する情報機器５に対し制御信号を出力する。
【００２５】
本発明においては、図２〜図６に示すように、表示器３の画面３０上には、予め定められた画面基準位置３０Ａを中心とする十字方向（ここでは互いに直交する２直線の順逆双方の方向）に主領域３１が定められており、それら４つの主領域３１上にそれぞれ操作画像３００が配置された形で表示がなされる。さらに、それら４つの操作画像３００のうち少なくとも１以上の操作画像３００が、対応する主領域３１上と、該主領域３１から続く形で画面基準位置３０Ａ周りに隣接する隣接領域３２上とにまたがって配置された拡大操作画像をなしている。操作画像３００が画面基準位置３０Ａを中心に十字状に配置されているため、操作装置４への操作方向は必然的にその十字方向に限定されることになり、その結果、操作装置４の操作方向を確認することなく直感的に操作することが可能となる。また、操作画像３００が主領域３１だけでなく隣接領域３２にまで拡大された拡大操作画像が存在していることにより、結果として、より多くの文字・記号を表示することが可能となるし、より見易くなるよう大きな文字・記号を表示することも可能となる。さらに、単純な十字配置とは異なりデザイン的にも斬新で優れたものとなり、それでいて見る者に対し操作方向である十字方向のイメージを持たすことができるから、操作性を向上することもできる。
【００２６】
さらに、図２〜図６に示すように、表示器３の画面３０上において、少なくとも画面基準位置３０Ａを含む画面中心領域３３の外周に位置する画面外周領域３６には、画面最外周領域として定められた余白領域３９及び互いに隣接する操作画像３００間に定められた境界領域３８を除く残余の領域に、十字状に配置される上記４つの操作画像３００（３００Ａ〜３００Ｄ）が敷き詰められた形で表示される。つまり、画面３０上に十字配置される操作画像３００は、画面最外周の余白領域３９に達するところまで拡大されている。このため、操作画像３００は、画面上において少なくとも外周の環状領域を無駄なく使い切る形で配置されているため、操作画像領域をできる限り大きくとることができる。
【００２７】
なお、ここでは、画面３０上の画面中心領域３３には、十字状に配置される上記４つの操作画像３００（３００Ａ〜３００Ｄ）とは別の操作画像３００（３００Ｅ）が配置されており、画面３０の全領域において余白領域３９及び境界領域３８を除く残余の全領域に、それら５つの操作画像３００（３００Ａ〜３００Ｅ）が敷き詰められた形で表示されている。よって、操作画像３００は、画面上の全領域を無駄なく使い切る形で配置されており、より大きい操作画像領域が確保されている。本実施形態においては、図２〜図６に示すように、画面基準位置３０Ａが画面３０の重心位置に一致しており、画面中心領域３３に配置される操作画像３００Ｅは、残余の４つの操作画像３００（３００Ａ〜３００Ｄ）の中心にあることが示し易いよう、その画像領域の重心位置を上記画面基準位置３０Ａと一致した正方形状をなしている。
【００２８】
また、図２〜図６に示すように、十字状に配置される上記４つの操作画像３００（３００Ａ〜３００Ｄ）は、以下の条件を満たしている。即ち、各操作画像３００において、画像領域内に包含され、かつ画面３０の各辺に平行をなす辺により取り囲まれる長方形領域のうち、面積が最大となるものを最大長方形領域３５とした場合に、当該最大長方形領域３５の面積が、操作画像３００の画像領域３４の全面積の少なくとも５０％よりも大となるという条件を満たしている。さらにいえば、８０％以上となるという条件を満たしていることが望ましい。操作画像３００上には当該操作画像３００に係る表示がなされるが、その表示は通常、操作画像３００の画像領域内に包含される長方形領域内になされるから、その領域が上記条件を満たすことで、表示領域をより大きく確保することができる。
【００２９】
さらにいえば、上記条件を第一条件とした場合に、第二条件として、操作画像３００内の表示領域となる上記長方形領域が、長方形状の画面３０の２つの対向辺のそれぞれに対し平行な対向辺により区画される領域であるという条件を追加してもよい。通常、文字列・記号列による表示は、長方形領域内において、画面３０の２つの対向辺のいずれかに対し平行な方向に文字や記号を並べた形、即ち画面３０の横長方向ないし縦長方向に沿って文字や記号を並べた形でなされるから、上記条件を満たすより面積の大きい長方形領域を操作画像３００から切り取ることができれば、その操作画像３００の画像領域内に、より多くの文字・記号を表示できるし、より大きな文字・記号を表示できる。
【００３０】
本実施形態においては、図２〜図６に示すように、各操作画像３００が、画面３０の各辺に平行をなす辺により取り囲まれる長方形状をなしており、上記の最大長方形領域３５をできる限り大面積で取ることが可能とされている。また、各操作画像３００（３００Ａ〜３００Ｅ）は単純な長方形をなすのではなく、図２に示すように、各々の全角部がアール状に面取られた長方形状をなしており、上記最大長方形領域３５の面積が、これを包含する操作画像３００の画像領域３４の全面積の８０％以上となるという条件を満たしている。８０％以上ともなれば、その操作画像３００の形状はほぼ長方形といえる形状となるから、長方形状の画面３０上に敷き詰め易く、なおかつ表示に適した形状となる。
【００３１】
なお、図２の操作画面は、使用する情報機器５を選択するためのメニュー画面であり、図３〜図６は、そのメニュー画面上から選択された情報機器５を操作するための画面である。図３は、図２において操作画像３００Ｂに対し決定入力操作がされた場合に表示される下位階層の操作画面であり、図４は、図３において操作画像３０１Ｄに対し決定入力操作がされた場合に表示される下位階層の操作画面である。また、図５は、図３において操作画像３０１Ｂに対し決定入力操作がされた場合に表示される下位階層の操作画面である。また、図６は、図２において操作画像３００Ｄに対し決定入力操作がされた場合に表示される下位階層の操作画面である。図３〜図６は、中央の操作画像３０１Ｅ〜３０５Ｅに対し決定入力操作をすることで、一つ上の階層の操作画面に戻ることができる。
【００３２】
また、図２〜図６に示す操作画像３００Ａ〜３００Ｅは、画面３０の重心位置である画面基準位置３０Ａを対称点とする対称性（点対称）を有する、あるいは該画面基準位置３０Ａを通過する画面３０のいずれかの対向辺に平行な直線を対称軸とする対称性（線対称）を有した形で、形状・配置が定められている。これにより、画面全体のデザイン性を向上させている。
【００３３】
図２及び図４の操作画面においては、十字状に配置される上記４つの操作画像３００（３００Ａ〜３００Ｄ／３０２Ａ〜３０２Ｄ）の全てが拡大操作画像とされ、それら各々の隣接領域３２は、各々の主領域３１から画面基準位置３０Ａ周りの周方向第一側に続く形で設けられている。つまり、十字状に配置された操作画像３００Ａ〜３００Ｄが全て、画面基準位置３０Ａを中心とする回転方向の同一側（ここでは右回り方向側：左回り方向側に統一されていてもよい）に延出する形で設けられている。画面中心領域３３に配置される操作画像３００Ｅ、３０２Ｅは、上記画面基準位置３０Ａと一致した正方形状をなしている。
【００３４】
図４の操作画面においては、情報機器５の制御パラメータを順逆に方向に変更させる操作を行うための操作画面であり、ここでは、画面基準位置３０Ａを挟んで対向する操作画像３００のうち一方が制御パラメータを順方向に変更させる順方向操作画像であり、他方が当該制御パラメータを逆方向に変更させる逆方向操作画像である。画面基準位置３０Ａを挟んで対向していることで、さらにいえば、画面中心領域３３を挟んで対向していることで、順逆の操作画像の関係を把握し易い。また、順逆を示す順逆方向指示記号３２０が、画面基準位置３０Ａを通過する一直線上に配置されているため、順逆方向をすばやく認識できる。また、図４の場合は、画面中心領域３３を挟んで配置される操作画像３０２Ｄ，３０２Ｂにおいて、それらの位置関係に応じて順逆方向指示記号３２０を表示しているだけでなく、画面中心領域３３を挟んで配置される操作画像３０２Ａ，３０２Ｃにおいて、それらの隣接領域３２の主領域３１に対する隣接方向に応じて順逆方向指示記号３２０を表示している。具体的にいえば、上下に配置された操作画像３０２Ｄ，３０２Ｂには、配置位置に対応する上下方向を示す順逆方向指示記号３２０をそれぞれ表示し（操作画像３０２Ｄには上，操作画像３０２Ｂには下）、左右に配置された操作画像３０２Ａ，３０２Ｃには、主領域２１に対する隣接領域３２の隣接方向に対応する上下方向を示す順逆方向指示記号３２０をそれぞれ表示している（操作画像３０２Ａには上，操作画像３０２Ｃには下）。
【００３５】
図３、図５、図６の操作画面においては、十字状に配置される上記４つの操作画像３００（３０１Ａ〜３０１Ｄ／３０３Ａ〜３０３Ｄ／３０４Ａ〜３０４Ｄ）のうち少なくとも１つの操作画像が、自身の主領域３１から画面基準位置３０Ａ周りの周方向第一側及び第二側の双方に続く隣接領域３２を有し、それら両隣接領域３２，３２と自身の主領域３１とにまたがって配置された拡大操作画像とされている。
【００３６】
図３及び図６の操作画面においては、画面基準位置３０Ａを挟んで主領域３１が対向する２つの操作画像３００（３０１Ｂ，３０１Ｄ／３０４Ａ，３０４Ｃ）が、画面基準位置３０Ａ周りの周方向第一側及び第二側の双方に続く隣接領域３２，３２と自身の主領域３１とにまたがって配置され、残りの２つの操作画像３００（３０１Ａ，３０１Ｃ／３０４Ｂ，３０４Ｄ）が、自身の主領域３１のみに配置されている。また、図３の場合は、それら拡大操作画像３０１Ｂ，３０１Ｄが画面３０の縦方向に対向しており、図６の場合は、それら拡大操作画像３０４Ａ，３０４Ｃが画面３０の横方向に対向している。
【００３７】
図５の操作画面においては、十字状に配置される上記４つの操作画像３００（３０３Ａ〜３０３Ｄ）のうち１つの操作画像３０３Ａが、自身の主領域３１から画面基準位置３０Ａ周りの周方向第一側及び第二側の双方に隣接領域３２，３２を有し、それら両隣接領域３２，３２と自身の主領域３１とにまたがって配置された第一の拡大操作画像とされる一方、残余の操作画像３００（３０３Ｂ〜３０３Ｄ）のうち第一の拡大操作画像３０３Ａに隣接する２つの操作画像３００（３０３Ｂ，３０３Ｄ）が、自身の主領域３１から第一の拡大操作画像３０３Ａとは逆側に続く隣接領域３２を有し、当該隣接領域３２と自身の主領域３１とにまたがって配置された第二の拡大操作画像とされ、残り１つの操作画像３００（３０３Ｃ）が、自身の主領域３１のみに配置されている。
【００３８】
図１の操作入力システムの装置１において、表示器３と操作装置４とは、図１１のようにして配置される。操作装置４は、表示器３の横長の画面３０に表示中の操作画像（操作ボタン）３００への操作入力を遠隔的に行うための遠隔操作部とされている。表示器３には、図示はしないが、画面３０上にタッチパネル３１が設置されたり、画面３０の周辺に図示しないスイッチ類が設けられていることが多く、これらの主操作部よりもユーザーの操作負担が小さくなるよう、予め定められた座席２により近い位置に配置される。ここでは、運転席２Ｄと助手席２Ｐに座したユーザー（搭乗者）の各座席２Ｄ，２Ｐの背もたれにもたれた着座状態のまま双方ともが操作可能な位置に設けられている。具体的にいえば、操作装置４は、車両の左右両座席（ここでは運転席と助手席）２Ｄ，２Ｐの間に挟まれる領域（ここではセンターコンソール）ＣＣに配置されている。他方、表示器３は、操作装置４よりも車両前方側にて、それら双方の座席２Ｄ，２Ｐに座したユーザーから視認可能な形で配置されている。
【００３９】
ここでの操作装置４は、予め定められた中立位置から、画面３０上における上記操作画像３００の十字方向の各方向に対応する十字状の４方向へと操作可能に構成される。ここでは特に、操作装置４の前後方向が表示器３の画面上下方向に対応し、操作装置４の左右方向が表示器３の画面左右方向に対応しており、それら前後方向と左右方向に操作可能することができ、これらの方向への操作がなされた際には、この対応関係に従って画面３０上の操作画像３００が選択される。
【００４０】
さらにいえば、本実施形態の操作装置４は、図１２に示すように、操作レバー４１２上に操作ノブ４１１が設けられるとともに、操作ノブ４１１が予め定められた十字方向にのみ操作可能となるよう操作レバー４１２の移動を規制するガイド部（ここではガイド溝）４１３が設けられた操作装置４０１である。十字状のガイド部の中心位置が中立位置であり、画面基準位置３０Ａに対応する。また、操作ノブ４１１は、操作レバーの軸方向（長手方向）への押圧操作が可能とされており、十字方向への操作がなされて操作画像３００が選択された状態で、当該押圧操作がなされることにより、選択されている操作画像３００に対する決定入力がなされる。
【００４１】
この操作装置４により、情報機器５として、通信装置５１、テレビ５２、オーディオ装置５３、ナビゲーション装置５４といった周知の電装機器を操作することが可能となる。操作装置４への操作によってこれら情報機器５に設定された各種設定状態は、画面３０に表示してもよいし、車室内の別画面（例えば符号３７）に表示してもよい。画面３０に表示する場合には、操作画像３０内に表示するようにしてもよい。
【００４２】
以上、本発明の一実施形態を説明したが、これはあくまでも例示にすぎず、本発明はこれに限定されるものではなく、特許請求の範囲の趣旨を逸脱しない限りにおいて、当業者の知識に基づく種々の変更が可能である。以下、上記実施形態とは異なる実施形態について説明する。
【００４３】
上記実施形態においては、操作画面によっては操作画像３００の形状・配置が異なるものがあったが、全て階層の操作画面において、操作画像３００の形状配置が一致するようにしてもよい。
【００４４】
また、上記実施形態においては、最大長方形領域３５内が操作画像に係る表示をする表記領域とされており、当該表記領域をなす長方形領域のうちいずれかの対向辺に対し平行な方向に、操作画像３００に係る文字列・記号列が並ぶ形で表示されているが、これらの表記の並び方向は、図２に示すように各操作画像３００の長手方向に一致させるようにしてもよい。即ち、横長の操作画像３００であれば横方向に文字列・記号列を並べ、縦長の操作画像３００であれば縦方向に文字列・記号列を並べるようにしてもよい。
【００４５】
また、上記実施形態においては、画面中心領域３３に十字状に配置される操作画像３００とは別の操作画像３００が配置されているが、図９に示すように、必ずしも画面中心領域３３に操作画像３００を配置せず、十字状に配置される操作画像３００（３０７Ａ〜３０７Ｄ）のみでもよい。また、画面中心領域３３に十字状に配置される操作画像３００とは別の操作画像３００を配置するのではなく、図１０に示すように、十字状に配置される操作画像３００のうちいずれか又は複数のものの一部が配置されてもよい。この場合、画面３０上の上記した余白領域３９及び境界領域３８を除く残余の領域に、それら十字状の４つの操作画像３００のみを敷き詰められた表示となる。図１０の場合は、正方形状の画面中心領域３３内に、十字状に配置される操作画像３００（３０８Ａ〜３０８Ｄ）の一部が延出し、延出した延出画像領域３１Ａが、画面基準位置３０Ａを対称点とする対称性（点対称）を有するよう設けられており、特徴的なデザインとなっている。また、図１０の場合は、十字状に配置される操作画像３００（３０８Ａ〜３０８Ｄ）の、延出画像領域３１Ａを除く残余の画像領域も、画面基準位置３０Ａを対称点とする対称性（点対称）を有しているため、より一層特徴的なデザインとなっている。
【００４６】
また、画面３０上における操作画像３００の形状・配置は、上記実施形態の他にも、図７や図８のようなものとすることもできる。
【００４７】
図７及び図８の操作画面においては、十字状に配置される上記４つの操作画像３００（３０５Ａ〜３０５Ｄ／３０６Ａ〜３０６Ｄ）のうち１つの操作画像３００（３０５Ａ／３０６Ｄ）は、自身の主領域３１から画面基準位置３０Ａ周りの周方向第一側及び第二側の双方に隣接領域３２，３２を有し、それら両隣接領域３２，３２と自身の主領域３１とにまたがって配置された第一の拡大操作画像とされる一方、残りの３つの操作画像３００（３０５Ｂ〜３０５Ｄ／３０６Ａ〜３０６Ｃ）のうち第一の拡大操作画像３００（３０５Ａ／３０６Ｄ）に隣接する一方の操作画像３００（３０５Ｄ／３０６Ａ）は、自身の主領域３１から第一の拡大操作画像３００（３０５Ａ／３０６Ｄ）とは逆側に続く隣接領域３２を有し、当該隣接領域３２と自身の主領域３１とにまたがって配置された第二の拡大操作画像とされる。また、残りの２つの操作画像３００（３０５Ｂ，３０５Ｃ／３０６Ｂ，３０６Ｃ）のうち第二の拡大操作画像３００（３０５Ｃ／３０６Ｂ）に隣接する操作画像３００（３０５Ｃ／３０６Ｂ）は、自身の主領域３１から第二の拡大操作画像３０３Ａとは逆側に続く隣接領域３２を有し、当該隣接領域３２と自身の主領域３１とにまたがって配置された第三の拡大操作画像とされる。残り１つの操作画像３００（３０３Ｂ／３０６Ｃ）は、自身の主領域３１のみに配置されている。
【００４８】
また、操作装置４は、画面３０上に表示される各操作画像３００に対し形状並びに配置位置が対応するように、操作パネル面４０４上にプッシュ操作部４０３を設けた操作装置４０２として構成とすることができる。この場合、画面３０に表示される操作画像３００は、常に一定の外形形状・配置が保たれるとよい。図１３は、その一例であり、図２に対応するプッシュ操作部４０３である。図２の操作画像と同様、予め定められた基準位置を中心とする十字方向に主領域４１を定め、それら４つの主領域４１上にそれぞれプッシュスイッチ４０３（４０３Ａ〜４０３Ｄ）が配置される一方、それら４つの操作画像４０３のうち少なくとも１以上のプッシュスイッチが、対応する主領域４１上と、該主領域４１から続く形で基準位置を中心とする周方向において隣接する隣接領域４２上とにまたがって配置されたプッシュスイッチ４０３（４０３Ａ〜４０３Ｄ）とされている。これら４つのプッシュスイッチ４０３（４０３Ａ〜４０３Ｄ）に囲まれる中央領域（操作パネル４０４の重心位置４０Ｐを含む）には、これらとは別の４０３（４０３Ｅ）が設けられている。これら４つのプッシュスイッチ４０３（４０３Ａ〜４０３Ｄ）が配置される外周領域と、これらに囲まれる中央領域を含む全領域において、画面最外周領域として定められた余白領域４９及び互いに隣接するプッシュスイッチ４０３間に定められた境界領域４８を除く残余の領域に、プッシュスイッチ４０３が敷き詰められている。
【００４９】
なお、本発明の表示装置及び操作入力システムは、上記実施形態のように、車両に搭載される車両用表示装置及び車両用操作入力システムに限られず、車両以外のものに適用されてもよい。
【符号の説明】
【００５０】
１  操作入力システムの装置
２  制御部
３  表示器
４  操作装置
５  情報機器
３０  画面
３００  操作画像（操作ボタン）
３０Ａ  画面基準位置
３１  主領域
３２  隣接領域
３３  画面中心領域
３６  画面外周領域
３８  境界領域
３９  余白領域
３４  操作画像の画像領域
３５  最大長方形領域
【図１】
2011070399.tif 000003
【図２】
2011070399.tif 000004
【図３】
2011070399.tif 000005
【図４】
2011070399.tif 000006
【図５】
2011070399.tif 000007
【図６】
2011070399.tif 000008
【図７】
2011070399.tif 000009
【図８】
2011070399.tif 000010
【図９】
2011070399.tif 000011
【図１０】
2011070399.tif 000012
【図１１】
2011070399.tif 000013
【図１２】
2011070399.tif 000014
【図１３】
2011070399.tif 000015